(57)【特許請求の範囲】
【請求項１】
印刷ドラムを保管するためのドラムケースを有するユニットであって、
ドラムケースの内部に保管されている印刷ドラムのインキ色を検知するインキ色検知手段と、
ドラムケースの外部に表示面を臨ませて配置され、少なくとも前記インキ色検知手段で検知したインキ色を表示する表示手段とを有する印刷ドラム用ケースユニット。
【請求項２】
請求項１記載の印刷ドラム用ケースユニットにおいて、
保管される印刷ドラムが放置時間を計測する計測手段を備えているか否かを検知する検知手段と、
前記検知手段により前記印刷ドラムが計測手段を備えていることが検知されたとき、前記計測手段による計測時間を減算補正する補正手段とを有する印刷ドラム用ケースユニット。
【請求項３】
請求項１記載の印刷ドラム用ケースユニットにおいて、
ドラムケースの外部に露呈され、接続される機器との間でデータの交信が可能な接続端子を有する印刷ドラム用ケースユニット。
【請求項４】
請求項３記載の印刷ドラム用ケースユニットにおいて、
前記接続端子は、ドラムケースの上面及び下面にそれぞれ配置され、ドラムケースを積層した際に、上面の接続端子と下面の接続端子とがそれぞれ連結可能に設けられた印刷ドラム用ケースユニット。
【請求項５】
請求項３記載の印刷ドラム用ケースユニットにおいて、
前記接続端子に接続される機器がインキ色を選択可能な孔版印刷装置であり、前記孔版印刷装置で選択されたインキ色情報と前記インキ色検知手段で検知したインキ色情報とを比較し、両者が一致する場合に選択されたインキ色を前記表示装置に表示する制御部を有する印刷ドラム用ケースユニット。
【発明の詳細な説明】
【０００１】
【発明の属する技術分野】
本発明は、印刷ドラムを保管するためのドラムケースを有するユニットに関する。
【０００２】
【従来の技術】
孔版印刷装置で用いる印刷ドラムは、ドラム内部からドラム外周面にインキを供給するため、一般に１つの印刷ドラムで使用するのは１色のインキとなっている。このため、異なる色のインキで印刷を行う場合には、別な色のインキを有する印刷ドラムと交換しなければならないので、印刷ドラムは孔版印刷装置に対して着脱可能な構成となっている。
孔版印刷装置から離脱した印刷ドラムは、インキの乾燥やゴミなどの付着を防止するために、専用のドラムケース内に収納して保管されている。ドラムケースには、内部に収納した印刷ドラムのインキ色と同色のシールが貼られていて、ケースの外部からインキ色が判るようになっている。
【０００３】
【発明が解決しようとする課題】
従来は、インキ色と同色のシールを貼られたドラムケースに印刷ドラムを収納、保管しているため、保管している印刷ドラムが複数ある場合に印刷ドラムの入れ違いがあり、ドラムケースを順次開閉して所望のインキ色の印刷ドラムであることを確認しなければならず面倒であった。
【０００４】
印刷ドラムが印刷終了後に長時間放置されると、インキに含まれている水分が徐々に蒸発し、インキが軟化（緩み）してしまう。インキの軟化は、ドラムケースに印刷ドラムを保管する場合と、孔版印刷装置に装着したまま放置する場合とで異なる。これは、ドラムケース内は温度や湿度などの環境条件の変動が少なく、ドラムケース内のために蒸発量が少ないが、孔版印刷装置内は、装置の使用前と使用後において温度や湿度などの環境条件の変化が大きく、孔版印刷装置内への蒸発量が大きいためである。このため、ドラムケースに保管された印刷ドラムと、孔版印刷装置に装着されたままの印刷ドラムとが同じ放置時間を示す場合でも、印刷時に印刷ドラムから用紙に転移されるインキ量が、ドラムケースに保管された印刷ドラムと孔版印刷装置に装置されたままの印刷ドラムとで大きく異なり、印刷画像にムラが出てしまう。
【０００５】
本発明は、ドラムケース内に保管した印刷ドラムのインキ色を、ドラムケースを開閉することなく確実にユーザーに知らせることができるケースユニットを提供することを目的とする。さらに本発明は、インキの保管状態を考慮して放置時間を補正することで、保管状態による印刷画像のムラの発生を抑えられるケースユニットを提供することを目的とする。
【０００６】
【課題を解決するための手段】
上記目的を達成するため、請求項１記載の印刷ドラムを保管するためのドラムケースを有するユニットは、ドラムケース内部に保管されている印刷ドラムのインキ色を検知するインキ色検知手段と、ドラムケースの外部に表示面を臨ませて配置され、少なくともインキ色検知手段で検知したインキ色を表示する表示手段とを有することを特徴としている。請求項１記載の発明によると、ドラムケースの内部に印刷ドラムが保管されると、インキ色検知手段でインキ色が検知され、検知されたインキ色が表示手段に表示される。
【０００７】
請求項２記載の発明は、請求項１記載の印刷ドラム用ケースユニットにおいて、保管される印刷ドラムが放置時間を計測する計測手段を備えているか否かを検知する検知手段と、この検知手段により印刷ドラムが計測手段を備えていることが検知されたとき、計測手段の計測時間を減算補正する補正手段とを有することを特徴としている。請求項２記載の発明によると、計測手段を備えている印刷ドラムがドラムケース内に保管されると、計測手段による計測時間が補正手段によって減算補正されるので、ドラムケース内で計測される計測時間がドラムケース外で測定される計測時間よりも遅くなる。
【０００８】
請求項３記載の発明は、請求項１記載の印刷ドラム用ケースユニットにおいて、ドラムケースの外部に露呈され、接続される機器との間でデータの交信が可能な接続端子を有することを特徴としている。請求項３記載の発明によると、ドラムケース内で検知される各種データと接続端子に接続される機器からの各種データの交信がドラムケースと機器との間で行われる。
【０００９】
請求項４記載の発明は、請求項３記載の印刷ドラム用ケースユニットにおいて、接続端子がドラムケースの上面及び下面にそれぞれ配置され、ドラムケースを積層した際に、上面の接続端子と下面の接続端子とがそれぞれ連結可能に設けられたことを特徴としている。請求項４記載の発明によると、ドラムケースを積層すると各ケースの接続端子が連結されてケース間同士でのデータ交信が行えるようになる。
【００１０】
請求項５記載の発明は、請求項３記載の印刷ドラム用ケースユニットにおいて、接続端子に接続される機器がインキ色を選択可能な孔版印刷装置であり、この孔版印刷装置で選択されたインキ色情報とインキ色検知手段で検知したインキ色情報とを比較し、両者が一致する場合に選択されたインキ色を表示装置に表示する制御部を有することを特徴としている。請求項５記載の発明によると、孔版印刷装置で選択したインキ色の印刷ドラムが保管されていると、そのドラムを保管しているドラムケースの表示手段に選択されたインキ色が表示される。
【００１１】
【発明の実施の形態】
本発明の実施の形態を幾つか説明するが、各形態において同一構成要素には第１の実施の形態で用いる符号と同一符号を付し、重複説明は省略するものとする。
（第１の実施の形態）。
【００１２】
図１，図２に示す印刷ドラム用ケースユニット１は、ドラムケース２と、このドラムケース２をセットするインターフェースとして機能するケースセット台１０とを備えている。ドラムケース２は、フタ２Ａとケース本体２Ｂとから構成され、フタ２Ａがケース本体２Ｂに対して図２に示すヒンジ８で開閉自在に支持されている。フタ２Ａには、ケース外部に表示面４Ａを臨ませて配置され、少なくともインキ色を表示する表示手段としての液晶表示装置等の表示部４とランプ３とが設けられている。ケース２の、ヒンジ８と対向する側面にはフタ２Ａを閉状態に保持するロック部材７が設けられている。フタ２Ａの中央にはケース２をぶら下げて持つための把手６が設けられている。
【００１３】
ドラムケース２の上面及び下面となる、フタ２Ａの上面２ａと本体２Ｂの下面２ｂには、その一部がケースの外部に露呈され、接続される機器との間でデータの交信が可能な接続端子としてのフタ側コネクター５とケース側コネクター９とがそれぞれ設けられている。ケース側コネクター９は、ケースセット台１０に設けられた接続端子としてのベースコネクター１１と接続可能に設けられ、ベースコネクター１１との間でデータの交信が行えるように構成されている。フタ側コネクター５及びケース側コネクター９は、ドラムケース２を積層した際に、フタ側コネクター５とケース側コネクター９とがそれぞれ連結可能に設けられいる。
【００１４】
ドラムケース２は、図３に示すように、ケースの内部２Ｃに印刷ドラム２１を保管するためのケースである。保管される印刷ドラム２１は、スライドフレーム２３から下方に延びて印刷ドラム２１の軸線方向に配置された一対の側板２４に支持された軸２２によって正逆両方向に回転可能に支持されている。軸２２は中空状であって、その軸線方向に図示しない複数のインキ供給孔が形成されている。一方の側板２４には、インキ供給手段２０が設けられている。インキ供給手段２０は、印刷用インキが収納されたインキパック２６、インキパック２６内のインキを抜き出すインキポンプ２７及びポンプモータ２８、インキポンプ２７と軸２２とを連結するインキ流路を構成する連結管２９を備えている。一方の側板２４には、保管される印刷ドラム２１の放置時間を計測する計測手段としての計測タイマー３２が装着されている。
【００１５】
ケースの内部２Ｃには、保管される印刷ドラム２１が計測タイマー３２を備えているか否かを検知する検知手段としての接点スイッチ３３と、図５に示すように保管されている印刷ドラム２１のインキ色を検知するインキ色検知手段としてのインキ色検知センサ１３と、印刷ドラム２１を保持する支持部材１２とが設けられている。支持部材１２は、図３に示すように一対の側板２４の下端を載せるためのものであり、印刷ドラム２１の軸線方向にそれぞれ１つずつ配設されている。接点スイッチ３３は、計測タイマー３２が装着された側板２４側の支持部材１２に設けられている。
【００１６】
インキ色検知センサ１３は、図５，図６に示すように、ケース本体２Ｂの内壁２Ｄに装着された複数の押しボタン１４，１５，１６，１７を有するボタンスイッチであり、押しボタンが押されるとオン状態となる。本形態では４つの押しボタンを有する形態となっているが、ボタンスイッチの数は４つに限定されるものではない。
【００１７】
内壁２Ｄと対面する側板２４には、印刷ドラム２１をケース２内に収納した際に、押しボタン１４〜１７を任意に収納する複数の開口部３４，３５，３６，３７が形成されている。開口部３４は押しボタン１４を、開口部３５は押しボタン１５を、開口部３６は押しボタン１６を、開口部３７は押しボタン１７をそれぞれ収納するように配置されていて、各押しボタンが各開口部に収納された状態において側板２４の外面２４ａで各押しボタンを押さないように構成されている。本形態においては押しボタン１７に対応する開口部３７は形成されていない。各開口部は、インキ色に応じてその位置や個数が異なるように側板２４に形成される。本形態において、押しボタン１４はイエローのインキを有する印刷ドラムの側板で押され、押しボタン１５はマゼンタのインキを有する印刷ドラムの側板で押される。押しボタン１６はシアンのインキを有する印刷ドラムの側板で押され、押しボタン１７はブラックのインキを有する印刷ドラムの側板で押される。図５，図６において、印刷ドラム２１はブラックのインキを有する印刷ドラムとなっている。
【００１８】
図２，図３に示すように、ケースセット台１０には、ベースコネクター１１と制御手段としてのコントローラ３０と本体接続コネクター３７とが設けられている。コントローラ３０は、周知のマイクロコンピュータからその要部が構成されていて、本形態においては、各コネクター間で行われるデータ交信やインキ色検知センサ１３の検知結果に基づき、ランプ３や表示部４を制御する機能と、接点スイッチ３３により印刷ドラム２１が計測タイマー３２を備えていることが検知されたとき、計測タイマー３２による計測時間を減算補正する補正手段を備えている。この補正手段は、計測タイマー３２で計測した値から任意の時間を減算する数式であってもよいし、計測時間毎に予め減算した値をマッピングしたデータテーブルであってもよい。これら数式や補正テーブルは、コントローラ３０の記憶部に記憶されている。また、補正テーブルに用いる補正データは、実験等より求められ、コントローラ３０の記憶部等に記憶されている。
【００１９】
図４に示すように、コントローラ３０には、ベースコネクター１１、本体接続コネクター３７、電源３１が接続されている。ケース側コネクター９には、ランプ３、表示部４、フタ側コネクター５、インキ色検知センサ１３が接続されている。計測タイマー３２は、接点スイッチ３３を介してケース側コネクター９に接続される。つまり、ケースセット台１０とドラムケース２とは、ベースコネクター１１とケース側コネクタ９とで接続される。両者が接続されると、電源３１から供給される電流がドラムケース２側に供給されるようになっている。
【００２０】
このような構成の印刷ドラム用ケースユニット１によるインキ色表示処理と、計測手段補正処理について図７，図８に示すフローチャートを用いて説明する。
図７に示すフローチャートのステップ１００では、インキ色検知センサ１３の押しボタン１４〜１７の何れかが押されてオンしたかが判断される。インキ色検知センサ１３がオンしていると、ステップ１０１に進んで印刷ドラム２１がドラムケース２に収納されているものとしてドラムケース２のランプ３を点灯し、ステップ１０２に進んで検知したインキ色を表示部４に表示してこの処理を終える。
【００２１】
ステップ１００において、インキ色検知センサ１３がオンしない場合、例えば、収納されている印刷ドラム２１が取り出された場合には、ステップ１０３に進んでドラムケース２のランプ３を消灯し、ステップ１０４に進んで「ドラムナシ」と表示部４に表示してこの処理を終える。
【００２２】
このように、ドラムケース２内に印刷ドラム２１が収納されると、収納された印刷ドラムのインキ色が表示部４に表示されつつランプ３が点灯され、印刷ドラム２１が収納されていないと、ランプ３が消灯して「ドラムナシ」と表示部４に表示されるので、ドラムケース２を一々開閉することなく、インキ色や印刷ドラム２１の有無をユーザーに知らせることができる。
【００２３】
図８に示すフローチャートのステップ１１０では、ドラムケース２に収納される印刷ドラム２１が計測手段、すなわち計測タイマー３２を備えているか否かが判断される。ここでは、接点スイッチ３３がオンしたか否かで計測タイマー３２の有無を判断する。接点スイッチ３３がオンして印刷ドラム２１が計測タイマー３２を備えている場合にはステップ１１１に進み、計測タイマー３２の計測時間を補正手段で減算補正して処理を終え、計測タイマー３２を備えていない場合には計測時間の補正は行わずに終了する。
【００２４】
このように、ドラムケース２内に計測タイマー３２を備えた印刷ドラム２１が収納される場合には、計測タイマー３２の計測時間を減算補正するので、ドラムケース２内での放置時間とケース外での放置時間に差を持たせることができる。
このため、印刷ドラム２１の保管状態に対応した放置時間を計測でき、保管状態による印刷画像のムラの発生を抑えられる。
【００２５】
図９，図１０は、インキ色検知センサ１３の配置場所を変更した形態を示している。図９において、インキ色検知センサ１３は、ケース本体２Ｂの手前側の内壁２Ｅに装着されている。各押しボタン１４〜１７は、ドラムケース２に収納された状態時にインキパック２６と対向する位置関係に設けられている。インキパック２６には、押しボタン１４〜１７を収納するための複数の開口部が任意に設けられる。
【００２６】
開口部４４は押しボタン１４を、開口部４５は押しボタン１５を、開口部４６は押しボタン１６をそれぞれ収納するように配置されている。各押しボタンは、各開口部に収納された状態においてインキパック２６の外面２６ａで押されないように構成されている。各開口部は、インキ色に応じてその位置や個数が異なるようにインキパック２６に形成されている。図９，図１０において、印刷ドラム２１はブラックのインキを有する印刷ドラムとなっている。このようにインキ色検知センサ１３は、ドラムケース２内の様々な場所に設けることができる。
（第２の実施の形態）
本形態は、図１１に示すように、接続端子としての本体接続コネクター３７にインキ色を選択可能な孔版印刷装置５０を接続し、複数のドラムケース２を積層配置したものである。ケースセット台１０に積層される最下位のドラムケース２は、ケース側コネクター９がベースコネクター１１と接続される。ドラムケース２同士は、それぞれフタ側コネクター５とケース側コネクター９によって接続される。各ドラムケース２には、各コネクターを介して電源３１から電流が供給される。
【００２７】
孔版印刷装置５０は、装置本体５０Ａに対して着脱自在に設けられた印刷ドラム２１に巻着するマスタを製版する製版部５１、印刷使用後のマスタを廃棄する排版部５２、装着された印刷ドラム２１に対して下方から接離動作する印圧部材としてのプレスローラ５７を装置本体５０Ａ内に備えている。印刷ドラム２１は、装置本体５０Ａの略中央に装着される。装着される印刷ドラム２１とプレスローラ５７との対向部は、用紙５４に画像を転写する印刷部６１を構成する。
【００２８】
装置本体５０Ａの右側部には、用紙５４を載置するための給紙台５３が昇降可能に設けられている。給紙台５３に載置された用紙５４の上方には、用紙５４を印刷部６１に向って給紙する給紙ローラ５５が配設されている。給紙ローラ５５と印刷部６１の間には、給紙された用紙５４を所定のタイミングで印刷部６１に送り込むためのレジストローラ対５６が配設されている。装置本体５０Ａの左側部には、版付けや印刷された用紙の排出部となる排紙台６０が配設されている。この排紙台６０には、周知のエンドフェンス５８とサイドフェンス５９が設けられている。
【００２９】
孔版印刷装置５０は、装置本体５０Ａに装着された印刷ドラム２１のインキ色を検知するインキ色検知手段としてのインキ色検知センサ６３と、印刷ドラム２１の有無を検知するドラム着脱センサ６４とを装置本体５０Ａに配設されている。装置本体５０Ａの上部には、表示部６５とインキ色選択手段７０が設けられている。表示部６５には、装着された印刷ドラム２１のインキ色や選択したインキ色や各種情報が表示される。インキ色検知センサ６３は、インキ色検知センサ１３と同一構成であるので詳細な説明は省略する。
【００３０】
装置本体５０Ａの一方の側面下部には、ケースセット台１０に設けられた本体接続コネクター３７との接続端子となる本体側コネクター６８が設けられている。装置本体５０Ａの下部には制御装置６２が設けられている。制御装置６２は、周知のマイクロコンピュータから構成されていて、孔版印刷装置５０の動作や表示装置６５に表示される表示内容を適宜切りかえて制御する機能を備えている。
【００３１】
図１２に示すように、制御装置６２には、インキ色検知センサ６３、ドラム着脱センサ６４、表示部６５、本体側コネクター６８、電源６７、孔版印刷装置５０の装置駆動部６９、インキ色選択手段７０がそれぞれ電気的に接続されている。
【００３２】
ケースセット台１０には、孔版印刷装置５０側で選択されたインキ色情報、すなわちインキ色選択手段７０で選択したインキ色とインキ色検知センサ１３で検知したインキ色情報とを比較し、両者が一致する場合に選択されたインキ色を表示部４，６５に表示する制御部としてのコントローラ３００が設けられている。このコントローラ３００には、ベースコネクター１１、本体接続コネクター３７、電源３１がそれぞれ接続されている。
【００３３】
このような構成におけるドラム識別処理について、図１３のフローチャートを用いて説明する。同図のステップ２００において所望のインキ色をインキ選択手段７０によって選択し、ステップ２０１で選択したインキ色に対応する印刷ドラムが有るか否かが判断される。ここでは、インキ色検知センサ６３で検知したインキ色情報とインキ色選択手段７０で選択したインキ色情報とが比較される。そして、両者が一致する場合には、選択したインキ色に対応する印刷ドラムが孔版印刷装置５０に有るものとしてステップ２０２に進み、両者が一致しなければ選択したインキ色に対応する印刷ドラムが孔版印刷装置５０にないものしてステップ２０３に進む。ステップ２０２では、装着されている印刷ドラムのインキ色を表示部６５に表示し、この処理を終了する。
【００３４】
ステップ２０３では、ステップ２０１で選択したインキ色に対応する印刷ドラムがドラムケース２に有るか否かが判断される。ここでは、各インキケースのインキ色検知センサ１３で検知したインキ色情報とインキ色選択手段７０で選択したインキ色情報とが比較される。比較の結果、インキ色選択手段７０で選択したインキ色情報とインキ色検知センサ１３で検知したインキ色情報と一致する場合には、ステップ２０４に進み、一致するインキ色を検知しているドラムケース２のランプ３を点灯し、ステップ２０５に進んで、このドラムケース２に収納されている印刷ドラムのインキ色を表示部４に表示し、この処理を終了する。
【００３５】
ステップ２０３において、インキ色選択手段７０で選択したインキ色情報と各ドラムケース２のインキ色検知センサ１３で検知したインキ色情報と一致しなければ、すなわちドラムケースに対応する印刷ドラムが収納されていない場合や、既に取り出されている場合には、ステップ２０６に進んでインキ色情報のないドラムケース２のランプ３を消灯し、ステップ２０７において印刷ドラムの収納されていないドラムケースの表示部４に「ドラムナシ」と表示してこの処理を終了する。
【００３６】
このように、孔版印刷装置５０で選択したインキ色の印刷ドラムが保管されているドラムケースや孔版印刷装置５０の表示部４，６５に、選択されたインキ色や印刷ドラムの有無が表示されるので、所望のインキ色を有する印刷ドラムの場所を容易にユーザーが知ることができる。
【００３７】
各形態において、インキ色検知手段として押しボタンスイッチを例示したが、印刷ドラムのインキ色を検知できるものであれば、上記の形態に限定されるものではなく、例えば、印刷ドラムのインキ面に光を照射して、その反射率からインキ色を検知する光学式のセンサであってもよいし、インキ色に対応する磁気情報を印刷ドラム側に設け、その磁気情報を読み取る磁気センサであってよい。
【００３８】
【発明の効果】
本発明によれば、ドラムケースの内部に印刷ドラムが保管されると、インキ色検知手段でインキ色が検知され、検知されたインキ色が表示手段に表示されるので、ドラムケース内に保管した印刷ドラムのインキ色を、ドラムケースを開閉することなく確実にユーザーに知らせることができる。
【００３９】
本発明によれば、計測手段を備えている印刷ドラムがドラムケース内に保管されると、計測手段による計測時間が補正手段によって減算補正されるので、ドラムケース内で計測される計測時間がドラムケース外で測定される計測時間よりも遅くなるので、インキの保管状態を考慮して放置時間が補正され、保管状態による印刷画像のムラの発生を抑えることができる。
【００４０】
ドラムケースの外部に露呈され、接続される機器との間でデータの交信が可能な接続端子を有する場合には、ドラムケース内で検知される各種データと接続端子に接続される機器からの各種データの交信がドラムケースと機器との間で交信され、ドラムケースを開閉することなく確実にユーザーに様々な情報を知らせることができる。
【００４１】
接続端子をドラムケースの上面及び下面にそれぞれ配置し、ドラムケースを積層した際に、上面の接続端子と下面の接続端子とがそれぞれ連結可能に設ける場合には、ドラムケースを積層すると各ケースの接続端子が連結されてケース間同士でのデータ交信が行えるようになるので、各ケースの表示手段にインキ色などを表示でき、ドラムケース内に保管した印刷ドラムのインキ色を、ドラムケースを開閉することなくより確実にユーザーに知らせることができる。
【００４２】
接続端子に接続される機器がインキ色を選択可能な孔版印刷装置であり、この孔版印刷装置で選択されたインキ色情報とインキ色検知手段で検知したインキ色情報とを比較し、両者が一致する場合に選択されたインキ色を表示装置に表示する制御部を有する場合には、孔版印刷装置で選択したインキ色の印刷ドラムが保管されていると、そのドラムを保管しているドラムケースの表示手段に選択されたインキ色が表示されるので、ドラムケース内に保管した印刷ドラムのインキ色を、ドラムケースを開閉することなくより確実にユーザーに知らせることができる。
【図面の簡単な説明】
【図１】第１の実施の形態を示す印刷ドラム用ケースユニットの斜視図である。
【図２】印刷ドラム用ケースユニットの正面図である。
【図３】ドラムケースの開状態と、印刷ドラムの収納状態を示す断面図である。
【図４】第１の実施の形態における電装品の接続状態を示すブロック図である。
【図５】インキ色検知手段の一構成例を示す拡大断面図である。
【図６】インキ色検知手段によるインキ色検知状態を示す拡大断面図である。
【図７】図６に示すインキ色表示処理の一例を示すフローチャートである。
【図８】計測手段補正処理の一例を示すフローチャートである。
【図９】インキ色検知手段の別な構成例を示す拡大断面図である。
【図１０】図９に示すインキ色検知手段によるインキ色検知状態を示す拡大断面図である。
【図１１】第２の実施の形態を示す印刷ドラム用ケースユニットと孔版印刷装置の接続状態を示す概略構成図である。
【図１２】孔版印刷装置の電装品の接続状態を主に示すブロック図である。
【図１３】ドラム識別処理の一例を示すフローチャートである。
【符号の説明】
１                  ケースユニット
２                  ドラムケース
２ａ                ドラムケースの上面
２ｂ                ドラムケースの下面
２Ｃ                ドラムケースの内部
４                  表示手段
４Ａ                表示面
５                  接続端子（上面の接続端子）
９                  接続端子（下面の接続端子）
１３                インキ色検知手段
２１                印刷ドラム
３２                計測手段
３３                検知手段
５０                孔版印刷装置
３００              制御部
【図１】
0004532707.tif 000002
【図２】
0004532707.tif 000003
【図３】
0004532707.tif 000004
【図４】
0004532707.tif 000005
【図５】
0004532707.tif 000006
【図６】
0004532707.tif 000007
【図７】
0004532707.tif 000008
【図８】
0004532707.tif 000009
【図９】
0004532707.tif 000010
【図１０】
0004532707.tif 000011
【図１１】
0004532707.tif 000012
【図１２】
0004532707.tif 000013
【図１３】
0004532707.tif 000014